(57)【要約】【課題】エネルギー消費量の増大を抑制しつつ、より快適な就寝環境を実現することができる空気温度可変機能付き寝具の掛布団を提供する。【解決手段】掛布団２０は、マットレス１０上の人体の上に掛けられてマットレス１０との間に就寝空間Ｓを形成する。空気温度可変装置１３は、マットレス１０の表面から就寝空間Ｓに温度調整された空気を噴出するとともに、該噴出された空気を表面から吸引して、温度調整された空気を循環させる。掛布団２０には、就寝空間Ｓを循環する温度調整された空気の流路Ｌを確保するための波板部材２２が設けられている。【選択図】図１
2010201037.tif 000002
【特許請求の範囲】
【請求項１】
下に敷かれる敷部材上の人体の上に掛けられて前記敷部材との間に就寝空間を形成する掛布団であって、前記敷部材の表面から前記就寝空間に温度調整された空気を噴出するとともに、前記噴出された空気を前記表面から吸引して、前記温度調整された空気を循環させる空気温度可変装置を備えた空気温度可変機能付き寝具の掛布団において、
前記就寝空間を循環する前記温度調整された空気の流路を確保するための流路形成部材を設けたことを特徴とする空気温度可変機能付き寝具の掛布団。
【請求項２】
請求項１に記載の空気温度可変機能付き寝具の掛布団において、
前記流路形成部材は、前記就寝空間における前記温度調整された空気の循環を案内する波板部材であることを特徴とする空気温度可変機能付き寝具の掛布団。
【請求項３】
請求項１又は２に記載の空気温度可変機能付き寝具の掛布団において、
前記人体の頭部の露出によって首周りに形成される前記敷部材及び前記掛布団間の開口を閉塞する押え布を備えたことを特徴とする空気温度可変機能付き寝具の掛布団。
【請求項４】
請求項１〜３のいずれか一項に記載の空気温度可変機能付き寝具の掛布団において、
前記就寝空間を循環する前記温度調整された空気の流路を複数備え、
前記複数の流路間を区画する仕切布を備えたことを特徴とする空気温度可変機能付き寝具の掛布団。
【請求項５】
請求項１〜４のいずれか一項に記載の空気温度可変機能付き寝具の掛布団において、
前記敷部材に対して前記掛布団を保持する保持手段を備えたことを特徴とする空気温度可変機能付き寝具の掛布団。
【発明の詳細な説明】
【技術分野】
【０００１】
本発明は、空気温度可変機能付き寝具の掛布団に関するものである。
【背景技術】
【０００２】
従来、例えば特許文献１に記載されるように、敷布団上に敷く敷部材及び就寝時に体の上に掛ける掛布団に、就寝空間等に温風を供給可能な送風通路をそれぞれ形成した寝床エアーコントロール装置が知られている。この寝床エアーコントロール装置は、これら送風通路を裾部の送風溜まりにおいて連通させており、温風送風機により該送風通路に温風を供給することで、就寝空間を就寝に適した環境にする。
【先行技術文献】
【特許文献】
【０００３】
【特許文献１】特許第３１８６６３２号公報
【発明の概要】
【発明が解決しようとする課題】
【０００４】
ところで、特許文献１では、基本的に就寝空間に温風を供給し続ける態様で就寝環境の快適化を図っているため、温風送風機において常に外部空気を一から温めて温風を生成・供給しなければならず、エネルギー消費量の増大を余儀なくされている。
【０００５】
本発明の目的は、エネルギー消費量の増大を抑制しつつ、より快適な就寝環境を実現することができる空気温度可変機能付き寝具の掛布団を提供することにある。
【課題を解決するための手段】
【０００６】
上記問題点を解決するために、請求項１に記載の発明は、下に敷かれる敷部材上の人体の上に掛けられて前記敷部材との間に就寝空間を形成する掛布団であって、前記敷部材の表面から前記就寝空間に温度調整された空気を噴出するとともに、前記噴出された空気を前記表面から吸引して、前記温度調整された空気を循環させる空気温度可変装置を備えた空気温度可変機能付き寝具の掛布団において、前記就寝空間を循環する前記温度調整された空気の流路を確保するための流路形成部材を設けたことを要旨とする。
【０００７】
同構成によれば、前記空気温度可変装置により、前記就寝空間に噴出される前記温度調整された空気が循環されることで、前記空気温度可変装置における温度調整に要するエネルギー消費量の増大を抑制することができる。特に、前記流路形成部材により、前記就寝空間を循環する前記温度調整された空気の流路が確保されるため、該空気を円滑且つより確実に循環させることができる。
【０００８】
請求項２に記載の発明は、請求項１に記載の空気温度可変機能付き寝具の掛布団において、前記流路形成部材は、前記就寝空間における前記温度調整された空気の循環を案内する波板部材であることを要旨とする。
【０００９】
同構成によれば、前記流路形成部材としての前記波板部材により、前記就寝空間における前記温度調整された空気の循環が案内される。つまり、前記波板部材自体が、前記就寝空間を循環する前記温度調整された空気の流路を形成する。これにより、前記就寝空間において前記温度調整された空気を更に円滑に循環させることができる。
【００１０】
請求項３に記載の発明は、請求項１又は２に記載の空気温度可変機能付き寝具の掛布団において、前記人体の頭部の露出によって首周りに形成される前記敷部材及び前記掛布団間の開口を閉塞する押え布を備えたことを要旨とする。
【００１１】
同構成によれば、前記押え布により、首周りに形成される前記敷部材及び前記掛布団間の開口が閉塞されることで、前記就寝空間の気密性を向上することができ、前記温度調整された空気をより効率的に循環させることができる。そして、前記空気温度可変装置における温度調整に要するエネルギー消費量の増大を更に抑制することができる。
【００１２】
請求項４に記載の発明は、請求項１〜３のいずれか一項に記載の空気温度可変機能付き寝具の掛布団において、前記就寝空間を循環する前記温度調整された空気の流路を複数備え、前記複数の流路間を区画する仕切布を備えたことを要旨とする。
【００１３】
同構成によれば、前記仕切布により、前記複数の流路間が区画されることで、これら流路を流れる空気間の干渉を抑制することができる。そして、前記温度調整された空気を、前記複数の流路の一部又は全部を用いて前記就寝空間の一部又は全部にきめ細かな設定で循環させることができる。
【００１４】
請求項５に記載の発明は、請求項１〜４のいずれか一項に記載の空気温度可変機能付き寝具の掛布団において、前記敷部材に対して前記掛布団を保持する保持手段を備えたことを要旨とする。
【００１５】
同構成によれば、前記保持手段により、前記敷部材に対して前記掛布団が保持されることで、例えば人体の寝返りなどによって前記敷部材に対して前記掛布団がずれたりすることを抑制することができる。
【発明の効果】
【００１６】
本発明では、エネルギー消費量の増大を抑制しつつ、より快適な就寝環境を実現することができる空気温度可変機能付き寝具の掛布団を提供することができる。
【図面の簡単な説明】
【００１７】
【図１】本発明の第１の実施形態を示す側面図。
【図２】図１のＡ−Ａ線に沿った断面図。
【図３】掛布団を示す背面図。
【図４】波板部材を示す斜視図。
【図５】本発明の第２の実施形態を示す側面図。
【図６】図５のＢ−Ｂ線に沿った断面図。
【図７】掛布団を示す背面図。
【図８】本発明の第３の実施形態を示す側面図。
【図９】図８のＣ−Ｃ線に沿った断面図。
【図１０】掛布団を示す背面図。
【図１１】本発明の変形形態を示す斜視図。
【図１２】本発明の変形形態を示す断面図。
【図１３】本発明の変形形態を示す断面図。
【発明を実施するための形態】
【００１８】
（第１の実施形態）
以下、本発明を具体化した第１の実施形態を図面に従って説明する。
図１は、本実施形態が適用される空気温度可変機能付き寝具を示す側面図である。同図に示されるように、この空気温度可変機能付き寝具は、下に敷かれる敷部材としての略直方体状のマットレス１０を備えるとともに、該マットレス１０上の人体の上に掛けられてマットレス１０との間に就寝空間Ｓを形成する掛布団２０を備える。なお、就寝空間Ｓとは、マットレス１０と掛布団２０との間の人体の入る空間である。
【００１９】
マットレス１０には、その足下側で箱状の起風装置１１が内蔵されるとともに、該起風装置１１に接続された空気配管１２が内蔵されている。起風装置１１は、送風機構及び温度・湿度調節機構（例えば、デシカント材などの熱交換器やヒータ）を備えており、送風機構にて空気（風）を送るとともに、該空気を温度・湿度調節機構に通すことで、当該空気の温度・湿度を調整する。一方、空気配管１２は、マットレス１０の表面から就寝空間Ｓに前記温度・湿度調整された空気を噴出する噴出孔１２ａを有するとともに、前記噴出された空気を前記表面から吸引する吸気孔１２ｂを有する。従って、噴出孔１２ａを通じてマットレス１０の表面から就寝空間Ｓに温度調整等された空気が噴出されるとともに、該噴出された空気が吸気孔１２ｂを通じてマットレス１０の表面から吸引されることで当該空気が循環される。起風装置１１及び空気配管１２は、空気温度可変装置１３を構成する。
【００２０】
なお、就寝空間Ｓにおいて、噴出孔１２ａは、人体の上半身寄りに配置されており、吸気孔１２ｂは、人体の足下寄りに配置されている。また、図２に図１のＡ−Ａ線に沿った断面図を示したように、空気配管１２は、マットレス１０の幅方向両側に一対で配設されている。従って、起風装置１１にて温度・湿度調整された空気は、両空気配管１２を介して就寝空間Ｓの幅方向両側（人体を挟んだ幅方向両側）を同時に循環する。つまり、就寝空間Ｓでは、例えば人体を挟んだ幅方向両側で、上半身側から足下側へと人体に沿って温度・湿度調整された空気が流れる。
【００２１】
掛布団２０は、マットレス１０の長さよりも短い長さ及び該マットレス１０の幅よりも若干長い幅を有して平面視略四角形状を呈しており、人体の頭部Ｈ寄りの先端部には、該頭部Ｈを挟んだ幅方向両側から湾出する一対の押え布２０ａが一体的に設けられている（図３参照）。これら押え布２０ａは、人体の頭部Ｈの露出によって首周り（肩口）に形成されるマットレス１０及び掛布団２０間の開口（隙間）を閉塞する。
【００２２】
掛布団２０は、その外形をなす布団本体２１を備えるとともに、該布団本体２１の幅方向両側でその下面に固定された一対の流路形成部材としての波板部材２２を備え、更に布団本体２１の周縁部に縫合されて該布団本体２１とともに両波板部材２２を挟み込む裏地２３を備える。
【００２３】
布団本体２１は、袋状の肌触りのよい布地２１ａに、例えば綿、ポリエステルなどの化学繊維、羽毛などからなる中綿２１ｂが詰められた通常の掛布団の構造を有している。波板部材２２は、例えば樹脂材にてコルゲート（波状）に成形されており、その凹凸（波形）が就寝空間Ｓの上半身側及び足下側の間を連通するように掛布団２０（就寝空間Ｓ）の長手方向に延在する。つまり、各波板部材２２は、掛布団２０の幅方向に凹凸を繰り返す。図４に示したように、各波板部材２２からは、締結用の複数の固定紐２２ａが延出しており、該波板部材２２は、これら固定紐２２ａが布団本体２１（及び裏地２３）に縛り付けられることで固定される。裏地２３は、例えばメッシュ状の肌触りのよい布からなり、就寝空間Ｓと波板部材２２（凹凸）とを実質的に連通しつつ該波板部材２２の下面を被覆する。従って、就寝空間Ｓでは、仮に掛布団２０が人体に密着して十分な流路面積が得られなかったとしても、各波板部材２２にて常に流路Ｌが確保され、温度・湿度調整された空気の円滑な循環が可能である。
【００２４】
なお、マットレス１０の幅方向両側縁部及び後縁部には、例えば永久磁石からなる平面視コの字状の敷側外周押え部１５が固定されている。一方、敷側外周押え部１５に上下方向で対向する掛布団２０の幅方向両側縁部及び後縁部には、例えば永久磁石からなる平面視コの字状の掛側外周押え部２４が固定されている。従って、掛布団２０は、これら敷側外周押え部１５及び掛側外周押え部２４が磁力で吸着され自由度をもって固定されることで、例えば人体が寝返りを打った場合であってもマットレス１０からのずれ又は落下が抑制される。マットレス１０に対して掛布団２０を保持するこれら敷側外周押え部１５及び掛側外周押え部２４は保持手段を構成する。
【００２５】
次に、本実施形態の動作について総括して説明する。まず、起風装置１１は、送風機構にて空気（風）を送るとともに、該空気の温度・湿度を温度・湿度調節機構にて調整する。具体的には、起風装置１１は、夏は温度・湿度調節機構の熱交換器で空気を放熱し、人体の熱を取り去る涼風を発生する。また、起風装置１１は、冬は温度・湿度調節機構のヒータを駆動して空気を加温し、人体を温める温風を発生する。そして、起風装置１１にて温度・湿度調整された空気は、両空気配管１２の噴出孔１２ａを通じて人体の肩付近に噴出される。この噴出された空気は、両波板部材２２及び就寝空間Ｓを流れて人体の足下付近に導かれる。そして、この導かれた空気は、両空気配管１２の吸気孔１２ｂから吸引されて起風装置１１に戻る。起風装置１１は、戻った空気に所要の温度・湿度調整を行った後に、再び両空気配管１２の噴出孔１２ａに送り出す。以上のように、温度・湿度調整された空気が就寝空間Ｓ等を循環することで、体感温度が調節されてより快適な就寝環境が実現される。
【００２６】
以上詳述したように、本実施形態によれば、以下に示す効果が得られるようになる。
（１）本実施形態では、空気温度可変装置１３により、就寝空間Ｓに噴出される前記温度調整等された空気が循環されることで、該空気温度可変装置１３（起風装置１１）における温度調整等に要するエネルギー消費量の増大を抑制することができる。特に、波板部材２２により、就寝空間Ｓを循環する温度調整等された空気の流路Ｌが確保されるため、該空気を円滑且つより確実に循環させることができる。
【００２７】
（２）本実施形態では、波板部材２２により、就寝空間Ｓにおける前記温度調整等された空気の循環が案内される。つまり、波板部材２２自体が、就寝空間Ｓを循環する温度調整等された空気の流路Ｌを形成する。これにより、就寝空間Ｓにおいて前記温度調整等された空気を更に円滑に循環させることができる。また、人体に対する風量が位置に応じて不均一になることを抑制することができる。
【００２８】
（３）本実施形態では、押え布２０ａにより、首周りに形成されるマットレス１０及び掛布団２０間の開口（襟部の開口）が閉塞されることで、就寝空間Ｓの気密性を向上することができ、前記温度調整等された空気をより効率的に循環させることができる。すなわち、より少ない空気の流量で効率よく人体の除熱、加熱等を行うことができる。そして、空気温度可変装置１３における温度調整等に要するエネルギー消費量の増大を更に抑制することができる。
【００２９】
（４）本実施形態では、保持手段（敷側外周押え部１５及び掛側外周押え部２４）により、マットレス１０に対して掛布団２０が保持されることで、例えば人体の寝返りなどによってマットレス１０に対して掛布団２０がずれたりすることを抑制することができる。特に、マットレス１０及び掛布団２０の周縁部同士が磁力により自由度をもって固定されていることで、就寝空間Ｓは、寝返りの影響を抑制しつつ、常にマットレス１０側からの風を受けることができる。
【００３０】
（５）本実施形態では、空気温度可変装置１３をマットレス１０に内蔵したことで、寝具周辺に余剰の収容空間が生じることを回避できる。
（６）本実施形態では、狭い就寝空間Ｓを循環する空気を温度・湿度調整するため、例えば寝室の部屋全体を温度・湿度調整する場合に比べて経済的である。また、就寝空間Ｓを循環する空気の温度・湿度調整を短期間で容易に行うことができる。
【００３１】
（７）本実施形態では、前記温度調整等された空気（風）が就寝空間Ｓの上半身側（襟部）から足下側（裾部）へと流れることで、体臭が頭部Ｈに近付いて快適さが損なわれることを防止できる。あるいは、前記温度調整等された空気（風）が頭部Ｈの顎から額に向かって流れて呼吸の妨げになり、快適さが損なわれることを防止できる。
【００３２】
（第２の実施形態）
以下、本発明を具体化した第２の実施形態を図面に従って説明する。なお、第２の実施形態は、第１の実施形態の空気温度可変装置の空気配管の変更に合わせて掛布団の構成を変更したものであり、前記第１の実施形態と同様の構成については同一の符号を付してその説明を一部省略する。
【００３３】
図５は、本実施形態が適用される空気温度可変機能付き寝具を示す側面図である。同図に示されるように、この空気温度可変機能付き寝具は、前記マットレス１０上の人体の上に掛けられて該マットレス１０との間に複数（３つ）の就寝空間Ｓ１，Ｓ２，Ｓ３を形成する掛布団４０を備える。これら就寝空間Ｓ１〜Ｓ３は、概ね人体の胴部（背中等）、腰部及び足部に合うように前後方向に並設されている。そして、前記マットレス１０に内蔵される空気温度可変装置３１の空気配管３２は、マットレス１０の表面から就寝空間Ｓ１〜Ｓ３に前記温度・湿度された空気をそれぞれ噴出する複数（３つ）の噴出孔３２ａ，３２ｂ，３２ｃを有するとともに、前記噴出された空気を前記表面からそれぞれ吸引する複数（３つ）の吸気孔３２ｄ，３２ｅ，３２ｆを有する。図６に図５のＢ−Ｂ線に沿った断面図を示したように、噴出孔３２ａ〜３２ｃは、各対応する就寝空間Ｓ１〜Ｓ３の図示左側に配置されており、吸気孔３２ｄ〜３２ｆは、各対応する就寝空間Ｓ１〜Ｓ３の図示右側に配置されている。従って、噴出孔３２ａ〜３２ｃを通じてマットレス１０の表面から就寝空間Ｓ１〜Ｓ３に温度・湿度調整された空気がそれぞれ噴出されるとともに、該噴出された空気が吸気孔３２ｄ〜３２ｆを通じてマットレス１０の表面からそれぞれ吸引されることで当該空気が各就寝空間Ｓ１〜Ｓ３に循環される。そして、起風装置１１にて温度・湿度調整された空気は、空気配管３２を介して就寝空間Ｓ１〜Ｓ３を同時に循環する。そして、就寝空間Ｓ１〜Ｓ３では、例えば人体の胴部、腰部及び足部周りに温度・湿度調整された空気が流れる。なお、図５では、便宜的に噴出孔３２ａ及び吸気孔３２ｄ、噴出孔３２ｂ及び吸気孔３２ｅ、噴出孔３２ｃ及び吸気孔３２ｆをそれぞれ前後方向にずらして描画しているが、実際にはこれらの前後方向の位置は一致している。
【００３４】
本実施形態の掛布団４０は、その外形をなす布団本体４１を備える。この布団本体４１は、袋状の布地４１ａに、例えば綿、ポリエステルなどの化学繊維、羽毛などからなる中綿４１ｂが詰められてなるとともに、前後方向に間隔をおいて複数（２本）の流路形成部材としての骨格部材４２が内蔵されている。図６に示したように、各骨格部材４２は、中綿４１ｂの直上で布団本体４１（掛布団４０）を幅方向に橋渡しする態様でアーチ状に成形されている。つまり、掛布団４０は、これら骨格部材４２により人体上に浮き上がるように支えられている。これにより、マットレス１０及び掛布団４０の間に常に空間が確保される。
【００３５】
また、掛布団４０は、各骨格部材４２の位置に合わせて布団本体４１から垂下する複数（２枚）の弓形の仕切布４３を備える。各仕切布４３は、例えば通気性の低い超薄軽量不通布からなり、マットレス１０及び掛布団４０の間に形成される空間を区画する。つまり、前記就寝空間Ｓ１〜Ｓ３は、これら仕切布４３によって区画生成されている。そして、図５及び図７に示したように、就寝空間Ｓ１〜Ｓ３を循環する前記温度調整された空気の互いに略独立な複数（３本）の流路Ｌ１，Ｌ２，Ｌ３が常に確保・形成され、温度・湿度調整された空気の円滑な循環が可能である。
【００３６】
なお、本実施形態の動作は、起風装置１１にて温度・湿度調整された空気が就寝空間Ｓ１〜Ｓ３を幅方向に循環することを除けば、前記第１の実施形態の動作と同様である。これにより、人体の胴部、腰部及び足部ごとに体感温度が調節されてより快適な就寝環境が実現される。
【００３７】
以上詳述したように、本実施形態によれば、前記第１の実施形態における（１）（３）〜（６）の効果に加えて以下に示す効果が得られるようになる。
（１）本実施形態では、骨格部材４２により、掛布団４０を人体上に浮き上がるように支えるという極めて簡易な構造で、就寝空間Ｓ１〜Ｓ３を循環する前記温度・湿度調整された空気の流路Ｌ１〜Ｌ３を確保することができる。
【００３８】
（２）本実施形態では、仕切布４３により、前記複数の流路Ｌ１〜Ｌ３間が区画されることで、これら流路Ｌ１〜Ｌ３を流れる空気間の干渉を抑制することができる。そして、前記温度調整された空気を、前記複数の流路の一部又は全部を用いて前記就寝空間の一部又は全部にきめ細かな設定で循環させることができる。
【００３９】
（第３の実施形態）
以下、本発明を具体化した第３の実施形態を図面に従って説明する。なお、第３の実施形態は、第２の実施形態の空気温度可変装置を変更したものであり、前記第１及び第２の実施形態と同様の構成については同一の符号を付してその説明を一部省略する。
【００４０】
図８は、本実施形態が適用される空気温度可変機能付き寝具を示す側面図であり、図９は、図８のＣ−Ｃ線に沿った断面図である。同図に示されるように、マットレス１０には、その足下側で幅方向両側に配設された一対の箱状の起風装置５１，５２が内蔵されるとともに、これら起風装置５１，５２にそれぞれ接続された空気配管５３，５４が内蔵されている。これら起風装置５１，５２及び空気配管５３，５４は、空気温度可変装置５５を構成する。
【００４１】
一方の起風装置５１及び空気配管５３は、マットレス１０の図示左側に配置されている。そして、空気配管５３は、マットレス１０の表面から就寝空間Ｓ１〜Ｓ３に前記起風装置５１により温度・湿度された空気をそれぞれ噴出する複数（３つ）の噴出孔５３ａ，５３ｂ，５３ｃを有するとともに、前記噴出された空気を前記表面からそれぞれ吸引する複数（３つ）の吸気孔５３ｄ，５３ｅ，５３ｆを有する。噴出孔５３ａ〜５３ｃは、各対応する就寝空間Ｓ１〜Ｓ３の幅方向における中心側に配置されており、吸気孔５３ｄ〜５３ｆは、各対応する就寝空間Ｓ１〜Ｓ３の図示左側に配置されている。従って、噴出孔５３ａ〜５３ｃを通じてマットレス１０の表面から就寝空間Ｓ１〜Ｓ３に温度・湿度調整された空気がそれぞれ噴出されるとともに、該噴出された空気が吸気孔５３ｄ〜５３ｆを通じてマットレス１０の表面からそれぞれ吸引されることで当該空気が各就寝空間Ｓ１〜Ｓ３に循環される。
【００４２】
また、他方の起風装置５２及び空気配管５４は、マットレス１０の図示右側に配置されている。そして、空気配管５４は、マットレス１０の表面から就寝空間Ｓ１〜Ｓ３に前記起風装置５２により温度・湿度された空気をそれぞれ噴出する複数（３つ）の噴出孔５４ａ，５４ｂ，５４ｃを有するとともに、前記噴出された空気を前記表面からそれぞれ吸引する複数（３つ）の吸気孔５４ｄ，５４ｅ，５４ｆを有する。噴出孔５４ａ〜５４ｃは、各対応する就寝空間Ｓ１〜Ｓ３の幅方向における中心側に配置されており、吸気孔５４ｄ〜５４ｆは、各対応する就寝空間Ｓ１〜Ｓ３の図示右側に配置されている。従って、噴出孔５４ａ〜５４ｃを通じてマットレス１０の表面から就寝空間Ｓ１〜Ｓ３に温度・湿度調整された空気がそれぞれ噴出されるとともに、該噴出された空気が吸気孔５４ｄ〜５４ｆを通じてマットレス１０の表面からそれぞれ吸引されることで当該空気が各就寝空間Ｓ１〜Ｓ３に循環される。なお、図８では、便宜的に噴出孔５３ａ，５４ａ及び吸気孔５３ｄ，５４ｄ、噴出孔５３ｂ，５４ｂ及び吸気孔５３ｅ，５４ｅ、噴出孔５３ｃ，５４ｃ及び吸気孔５３ｆ，５４ｆをそれぞれ前後方向にずらして描画しているが、実際にはこれらの前後方向の位置は一致している。
【００４３】
そして、起風装置５１，５２にて温度・湿度調整された空気は、空気配管５３，５４を介して就寝空間Ｓ１〜Ｓ３を同時に循環する。そして、就寝空間Ｓ１〜Ｓ３では、例えば人体の胴部、腰部及び足部から幅方向両外側に向けて温度・湿度調整された空気が流れる。これにより、図８及び図１０に示したように、就寝空間Ｓ１、Ｓ２、Ｓ３には、幅方向において中心側から両外側に向かう２本の流路Ｌ１１，Ｌ２１、Ｌ１２，Ｌ２２、Ｌ１３，Ｌ２３が常に確保・形成され、温度・湿度調整された空気の円滑な循環が可能である。
【００４４】
なお、本実施形態の動作は、一対の起風装置５１，５２にて温度・湿度調整された空気が就寝空間Ｓ１〜Ｓ３を人体の胴部、腰部及び足部から幅方向両外側に向けて循環することを除けば、前記第２の実施形態の動作と同様である。これにより、人体への直接的な風当たりを抑制しつつ、その胴部、腰部及び足部ごとに体感温度が調節されてより快適な就寝環境が実現される。
【００４５】
以上詳述したように、本実施形態によれば、前記第２の実施形態の効果に加えて以下に示す効果が得られるようになる。
（１）本実施形態では、就寝空間Ｓ１〜Ｓ３において、人体の胴部、腰部及び足部周りに温度・湿度調整された空気が流れることを抑制できるため、人体への直接的な風当たりを抑制して更に快適な就寝環境を実現することができる。
【００４６】
なお、上記実施形態は以下のように変更してもよい。
・図１１に示すように、前記第１の実施形態の波板部材２２に代えて、少なくとも掛布団２０（就寝空間Ｓ）の長手方向に連通する流路形成部材としての立体メッシュ６１を採用してもよい。この立体メッシュ６１からは、締結用の複数の固定紐６１ａが延出しており、該立体メッシュ６１は、これら固定紐６１ａが布団本体２１（及び裏地２３）に縛り付けられることで固定される。あるいは、こうした立体的に空間を形成し得るのであれば、中空構造のシート（プラスチック段ボールなど）を採用してもよい。
【００４７】
・前記第１の実施形態においては、掛布団２０（就寝空間Ｓ）の長手方向略全長に亘って延在する流路形成部材（波板部材２２）を採用したが、人体の上半身（例えば、肩から腰まで）に相当する掛布団２０の長手方向の範囲にのみ延在する流路形成部材を採用してもよい。この場合、流路形成部材の延在する範囲に合わせて空気配管１２の噴出孔１２ａ及び吸気孔１２ｂの配置を変更すればよい。
【００４８】
・前記第１の実施形態において、波板部材２２（又は立体メッシュ６１）は、ホックやボタンなどその他の締結手段で布団本体２１（及び裏地２３）に固定されていてもよい。
・図１２に示すように、前記第２の実施形態において、布団本体４１の下面に、その幅方向略全長に亘って延在する流路形成部材としての立体メッシュ６２を、例えば固定紐やホック、ボタンなどの締結手段にて固定してもよい。この立体メッシュ６２は、少なくとも掛布団４０（就寝空間Ｓ１〜Ｓ３）の幅方向に連通するものとする。この場合、仮に骨格部材４２による掛布団４０の支えが不十分になって人体に密着したとしても、立体メッシュ６２にて流路Ｌ３０を確保することができ、温度・湿度調整された空気の円滑な循環が可能である。なお、流路Ｌ３０は、就寝空間Ｓ１〜Ｓ３に合わせて掛布団４０の長手方向で区画されていてもよいし、該長手方向略全長に亘って繋がっていてもよい。
【００４９】
・前記第２の実施形態において、噴出孔３２ａ〜３２ｃ又は吸気孔３２ｄ〜３２ｆを選択的に開閉する開閉制御弁を設けてもよい。この場合、開閉制御弁の開閉制御によって就寝空間Ｓ１〜Ｓ３における温度・湿度調整された空気の循環を選択することで、人体の胴部、腰部及び足部ごとに体感温度の選択的な調節が可能となる。そして、人体に対する送風をより細かく制御することができる。
【００５０】
・図１３に示すように、前記第３の実施形態において、布団本体４１の幅方向両側でその下面に、一対の流路形成部材としての立体メッシュ６３を、例えば固定紐やホック、ボタンなどの締結手段にて固定してもよい。各立体メッシュ６３は、少なくとも掛布団４０（就寝空間Ｓ１〜Ｓ３）の幅方向に連通するものとする。この場合、仮に骨格部材４２による掛布団４０の支えが不十分になって人体に密着したとしても、両立体メッシュ６３にて流路Ｌ３１，Ｌ３２を確保することができ、温度・湿度調整された空気の円滑な循環が可能である。なお、流路Ｌ３１，Ｌ３２は、就寝空間Ｓ１〜Ｓ３に合わせて掛布団４０の長手方向で区画されていてもよいし、該長手方向略全長に亘って繋がっていてもよい。
【００５１】
・前記第３の実施形態において、噴出孔５３ａ〜５３ｃ、５４ａ〜５４ｃ又は吸気孔５３ｄ〜５３ｆ、５４ｄ〜５４ｆを選択的に開閉する開閉制御弁を設けてもよい。この場合、開閉制御弁の開閉制御によって就寝空間Ｓ１〜Ｓ３における温度・湿度調整された空気の循環を選択することで、人体の胴部、腰部及び足部ごとに体感温度の選択的な調節が可能となる。そして、人体に対する送風をより細かく制御することができる。
【００５２】
・前記第２及び第３の実施形態においては、人体との密着性がよい弓形の仕切布４３を採用したが、半月状の仕切布を採用してもよい。
・前記各実施形態において、敷側外周押え部１５及び掛側外周押え部２４のいずれか一方は、磁力によって吸着される鉄材などであってもよい。
【００５３】
・前記各実施形態において、マットレス１０及び掛布団２０の周縁部同士の固定は、例えばレールなどにより自由度をもって固定してもよい。
・前記各実施形態において、敷側外周押え部１５及び掛側外周押え部２４の少なくとも一方は、マットレス１０又は掛布団２０の周縁部（幅方向両側縁部及び後縁部）に間欠的に配置（点在）されていてもよい。
【００５４】
・前記各実施形態において、保持手段としてマットレス１０又は掛布団２０の周縁部（幅方向両側縁部及び後縁部）に間欠的に配置されるボタンを採用してもよい。
・前記各実施形態において、マットレス１０の周縁部（特に側縁部）に、保持手段としての脱落防止用の柵などを設置してもよい。
【００５５】
・前記各実施形態において、マットレス１０に代えて敷布団を採用してもよい。
次に、上記実施形態及び別例から把握できる技術的思想について以下に追記する。
・請求項１に記載の空気温度可変機能付き寝具の掛布団において、
前記流路形成部材は、前記人体上に浮き上がるように前記掛布団を支える骨格部材であることを特徴とする空気温度可変機能付き寝具の掛布団。同構成によれば、前記流路形成部材としての前記骨格部材により、前記掛布団を前記人体上に浮き上がるように支えるという極めて簡易な構造で、前記就寝空間を循環する前記温度調整された空気の流路を確保することができる。
【符号の説明】
【００５６】
Ｌ，Ｌ１〜Ｌ３，Ｌ１１〜Ｌ１３，Ｌ２１〜Ｌ２３，Ｌ３０，Ｌ３１，Ｌ３２…流路、Ｓ，Ｓ１〜Ｓ３…就寝空間、１０…マットレス（敷部材）、１３，３１，５５…空気温度可変装置、１５…敷側外周押え部（保持手段）、２０，４０…掛布団、２０ａ…押え布、２２…波板部材（流路形成部材）、２４…掛側外周押え部（保持手段）、４２…骨格部材（流路形成部材）、４３…仕切布、６１，６２，６３…立体メッシュ（流路形成部材）。
【図１】
2010201037.tif 000003
【図２】
2010201037.tif 000004
【図３】
2010201037.tif 000005
【図４】
2010201037.tif 000006
【図５】
2010201037.tif 000007
【図６】
2010201037.tif 000008
【図７】
2010201037.tif 000009
【図８】
2010201037.tif 000010
【図９】
2010201037.tif 000011
【図１０】
2010201037.tif 000012
【図１１】
2010201037.tif 000013
【図１２】
2010201037.tif 000014
【図１３】
2010201037.tif 000015